(57)【要約】    【課題】      装置の設置時に外光情報を読み取って不揮発メモリに記憶しておき、この記憶した外光情報に基づいて原稿画像の端部を検出することにより、新たなセンサの追加や複数回の読み取り走査を必要とすることなく、外光の影響を排除して確実に原稿画像を読み取る画像読取装置、画像形成装置及び画像読取方法を提供すること。    【解決手段】  画像形成装置１００は、外光情報記憶処理によりプラテンガラスに入射する外光を読み取り、その外光画像データから原稿端情報を検出して外光情報として外光情報記憶メモリに記憶し、原稿画像読取処理において、先に記憶した外光情報をマスク情報として設定し、このマスク情報に基づいて読み取った原稿画像データに含まれる外光画像データをマスク処理して実際の原稿画像データの原稿端情報を検出し、この原稿端情報に基づいて原稿画像データの読取範囲を設定する。  【選択図】      図２
2007028190.tif 000002
【特許請求の範囲】
【請求項１】
原稿を載置する原稿載置部と、この原稿載置部を覆う開閉可能なカバーと、前記原稿載置部に載置された原稿画像を読み取る画像読取部と、を具備し、
前記カバーを開いたままでかつ前記原稿載置部に何も載置しない状態で前記原稿載置部に入射する外光情報を前記画像読取部で検出し、この検出された外光情報を記憶する外光情報記憶手段と、
前記カバーを開いたままでかつ前記原稿載置部に原稿を載置した状態で当該原稿載置部に載置された原稿画像を読み取り、この読み取られた原稿画像から前記外光情報により検出される外光の影響を取り除く制御手段と、を有することを特徴とする画像読取装置。
【請求項２】
原稿を載置する原稿載置部と、この原稿載置部を覆う開閉可能なカバーと、前記原稿載置部に載置された原稿画像を読み取る画像読取部と、を具備し、
前記カバーを開いたままでかつ前記原稿載置部に何も載置しない状態で前記原稿載置部に入射する外光情報を前記画像読取部で検出し、この検出された外光情報を記憶する外光情報記憶手段と、
前記カバーを開いたままでかつ前記原稿載置部に原稿を載置した状態で当該原稿載置部に載置された原稿画像を読み取り、この読み取られた原稿画像から前記外光情報により検出される外光の影響を取り除いた原稿範囲を検出した後に、この検出された原稿範囲内で前記外光情報により検出される外光の影響を取り除く制御手段と、を有することを特徴とする画像読取装置。
【請求項３】
前記カバーを開いたままでかつ前記原稿載置部に何も載置しない状態で前記原稿載置部に入射する外光情報を前記画像読取部で検出し、この検出された外光情報を外光情報記憶手段に記憶するのは、本体装置を設置時、あるいは本体装置周囲の外光状況が変動した場合であることを特徴とする請求項１又は２に記載の画像読取装置。
【請求項４】
請求項１から３の何れか一項に記載の画像読取装置を備えることを特徴とする画像形成装置。
【発明の詳細な説明】
【技術分野】
【０００１】
本発明は、画像読取装置及び画像形成装置に関し、特に、プラテンカバーを開放した状態で原稿画像を読み取る画像読取装置及び画像形成装置に関する。
【背景技術】
【０００２】
従来、開閉可能なプラテンカバーで覆われる原稿読取面を備える原稿載置型の画像読取装置が普及している。この画像読取装置では、ブック原稿等の厚みがある原稿を読み取る場合は、プラテンカバーを開放した状態で、ブック原稿を原稿読取面に載置して原稿画像を読み取る、いわゆるスカイショットという原稿読み取りモードがある。
【０００３】
このように、ブック原稿を読み取る際には、プラテンカバーを開放して原稿読取面を露出しているため、原稿読取面に外光が入射し、その入射光の影響により原稿読取範囲が誤って読み取られてしまうという問題が発生する。
【０００４】
具体的には、例えば、画像読取装置が室内に設置されている場合、その上方に蛍光灯等の光源が有ると、その光源からの外光（白色光）が原稿読取面に筋状に入射し、原稿読取面を走査するスキャナが外光による反射部分を原稿の一部として読み取ってしまうという現象が発生するためである。この現象の具体例を図８に示す。図８（ａ）は、プラテンカバーを開放して原稿が載置されたプラテンガラスの原稿読取面に外光が入射した状態を示す図である。このように外光が入射した状態で原稿画像を読み取ると、同図（ｂ）に示す主走査方向の画像信号のように、外光部分が誤認識された原稿端座標Ｘ（左）が検出される。そして、原稿端を誤認識した影響により、同図（ｃ）に示すように外光部分と原稿との間に介在する空白部分が黒い帯状の画像として記録紙に出力されてしまう。
【０００５】
このような問題に対応するため、例えば、特許文献１に記載された画像読取処理システムがある。この画像読取処理システムでは、プラテンカバーの開閉状態を検知する開閉状態検知センサと、外光光量検知センサを新たに設け、画像読み取り動作に際して、２つのセンサの検出結果に応じて画像処理条件を選択して、外光成分による読み取り画像データの劣化分を補正するようにしている。
【０００６】
また、特許文献２に記載された画像読み取り装置では、プラテンカバーを閉じていない状態で原稿の主走査方向の第１の走査を行い、次に、プラテンカバーを閉じた状態で原稿の主走査方向の第２の走査を行い、これら２回の走査で得られたラインセンサ出力を基に原稿サイズを判定している。
【特許文献１】特開２００２−１８５７９６号公報
【特許文献２】特開平１１−７５０２５号公報
【発明の開示】
【発明が解決しようとする課題】
【０００７】
しかしながら、上記特許文献１の画像読取処理システムでは、新たに外光光量検知センサを設ける必要が有るため、画像読取処理システムのコストを増大させるという問題がある。また、上記特許文献２の画像読み取り装置では、毎回、２回の走査を行う必要があり、読み取り走査処理が複雑になるという問題がある。
【０００８】
本発明は以上のような実情に鑑みてなされたもので、装置の設置時又は本体装置周囲の外光状況が変動した場合に、外光情報を読み取って不揮発メモリに記憶しておき、この記憶した外光情報に基づいて原稿画像の端部を検出することにより、新たなセンサの追加や複数回の読み取り走査を必要とすることなく、外光の影響を排除して確実に原稿画像を読み取る画像読取装置及び画像形成装置を提供することを目的とする。
【課題を解決するための手段】
【０００９】
本発明の画像読取装置は、原稿を載置する原稿載置部と、この原稿載置部を覆う開閉可能なカバーと、前記原稿載置部に載置された原稿画像を読み取る画像読取部と、を具備し、前記カバーを開いたままでかつ前記原稿載置部に何も載置しない状態で前記原稿載置部に入射する外光情報を前記画像読取部で検出し、この検出された外光情報を記憶する外光情報記憶手段と、前記カバーを開いたままでかつ前記原稿載置部に原稿を載置した状態で当該原稿載置部に載置された原稿画像を読み取り、この読み取られた原稿画像から前記外光情報により検出される外光の影響を取り除く制御手段と、を有する構成を採る。
【発明の効果】
【００１０】
本発明によれば、新たなセンサの追加を必要とすることなく、本体装置に搭載されている画像読取部を利用することにより、外光の影響を排除して確実に原稿画像を読み取ることができる。
【発明を実施するための最良の形態】
【００１１】
本発明の画像読取装置の第１の態様は、原稿を載置する原稿載置部と、この原稿載置部を覆う開閉可能なカバーと、前記原稿載置部に載置された原稿画像を読み取る画像読取部と、を具備し、前記カバーを開いたままでかつ前記原稿載置部に何も載置しない状態で前記原稿載置部に入射する外光情報を前記画像読取部で検出し、この検出された外光情報を記憶する外光情報記憶手段と、前記カバーを開いたままでかつ前記原稿載置部に原稿を載置した状態で当該原稿載置部に載置された原稿画像を読み取り、この読み取られた原稿画像から前記外光情報により検出される外光の影響を取り除く制御手段と、を有する構成を採る。
【００１２】
この構成によれば、新たなセンサの追加を必要とすることなく、本体装置に搭載されている画像読取部を利用することにより、外光の影響を排除して確実に原稿画像を読み取ることができる。
【００１３】
本発明の画像読取装置の第２の態様は、原稿を載置する原稿載置部と、この原稿載置部を覆う開閉可能なカバーと、前記原稿載置部に載置された原稿画像を読み取る画像読取部と、を具備し、前記カバーを開いたままでかつ前記原稿載置部に何も載置しない状態で前記原稿載置部に入射する外光情報を前記画像読取部で検出し、この検出された外光情報を記憶する外光情報記憶手段と、前記カバーを開いたままでかつ前記原稿載置部に原稿を載置した状態で当該原稿載置部に載置された原稿画像を読み取り、この読み取られた原稿画像から前記外光情報により検出される外光の影響を取り除いた原稿範囲を検出した後に、この検出された原稿範囲内で前記外光情報により検出される外光の影響を取り除く制御手段と、を有する構成を採る。
【００１４】
この構成によれば、新たなセンサの追加を必要とすることなく、本体装置に搭載されている画像読取部を利用することにより、外光の影響を排除して確実に原稿画像を読み取ることができる。
【００１５】
本発明の画像読取装置の第３の態様は、第１又は第２の態様の画像読取装置において、前記カバーを開いたままでかつ前記原稿載置部に何も載置しない状態で前記原稿載置部に入射する外光情報を前記画像読取部で検出し、この検出された外光情報を外光情報記憶手段に記憶するのは、本体装置を設置時、あるいは本体装置周囲の外光状況が変動した場合である構成を採る。
【００１６】
この構成によれば、本体装置に搭載されている画像読取部を利用することにより新たなセンサの追加を必要とすることなく、また、原稿画像を読み取る場合に毎回複数回の読み取りを必要とすることなく、外光の影響を排除して確実に原稿画像を読み取ることができる。
【００１７】
本発明の画像形成装置の第４の態様は、第１から第３の何れか一つの態様の画像読取装置を備える構成を採る。
【００１８】
この構成によれば、新たなセンサの追加を必要とすることなく、本体装置に搭載されている画像読取部を利用することにより、外光の影響を排除して確実に原稿画像を読み取ることを可能にする画像形成装置を提供することができる。
【００１９】
以下、本発明の一実施の形態について図面を参照して詳細に説明する。
【００２０】
図１（ａ）、（ｂ）は本実施の形態の画像形成装置の外観を示す斜視図である。図１（ａ）は、画像形成装置１００のプラテンカバー１０４を開いた状態を示す外観斜視図である。図１（ａ）において、画像形成装置１００は、記録紙格納部、記録紙搬送部、画像形成部及び画像定着部等を内蔵する装置本体１０１と、画像形成に関わる各種指示を入力すると共に指示内容を表示する操作パネル１０２と、記録紙（原稿）を載置する読取面を形成すると共に、読取面に載置された記録紙に印刷された画像を読み取る画像読取処理部等を内蔵する画像読取部１０３と、読取面をカバーする開閉可能なプラテンカバー１０４と等から構成される。
【００２１】
なお、本実施の形態の操作パネル１０２には、後述する外光情報記憶処理を開始する際に操作する外光情報記憶指示キー（図示せず）が設けられている。
【００２２】
図１（ｂ）は、図１（ａ）の画像読取部１０３及びプラテンカバー１０４の部分を拡大して示す外観斜視図である。図１（ｂ）において、画像読取部１０３の原稿及びブック原稿を載置する読取面には、画像読取部１０３の読取範囲をカバーする透明ガラスで形成されたプラテンガラス１０５が取り付けられている。プラテンガラス１０５を保持する保持枠の図中奥側には、プラテンカバー１０４の開閉状態を検出する開閉検出センサ１０６が設けられている。また、プラテンガラス１０５の読取面の裏側（裏面）には、原稿サイズを検出する原稿サイズ検出センサ１０７が複数配置されている。
【００２３】
なお、図１（ｂ）に示すプラテンガラス１０５の形状は長方形であり、その短辺が画像読取部１０３の主走査方向の読取範囲であり、その長辺が画像読取部１０３の副走査方向の読取範囲である。
【００２４】
次に、画像形成装置１００の装置本体１０１に内蔵される制御系の構成について図２を参照して説明する。図２は、制御系の構成を示すブロック図である。
【００２５】
図２において、画像形成装置１００の制御系は、ＣＣＤラインセンサ２０１と、Ａ／Ｄ変換器２０２と、原稿端検出部２０３と、原稿端一時記憶メモリ２０４と、画像処理回路２０５と、画像出力部２０６と、制御操作部２０７と、制御回路２０８と、外光情報記憶メモリ２０９と、から構成される。以下は、画像形成装置１００としてカラー機について説明するが、白黒機についても同様に本発明を適用可能である。
【００２６】
ＣＣＤ（Charge Coupled Devices）ラインセンサ２０１は、プラテンガラス１０５の短辺である主走査範囲をカバーする１ライン分のＣＣＤラインセンサから構成される。ＣＣＤラインセンサ２０１は、走査機構（図示せず）によりプラテンガラス１０５に載置された原稿サイズに合わせて副走査方向に走査される。ＣＣＤラインセンサ２０１は、プラテンガラス１０５に載置された原稿サイズに合わせて副走査方向に走査されると、原稿に印刷されたカラー画像を主走査幅でライン毎にＲ（赤），Ｇ（緑），Ｂ（青）の３色に分けて読み取り、ライン毎に読み取ったＲ，Ｇ，Ｂ画像をＲ，Ｇ，Ｂ画像信号としてＡ／Ｄ変換器２０２に出力する。
【００２７】
Ａ／Ｄ変換器２０２は、ＣＣＤラインセンサ２０１からライン毎に入力されるＲ，Ｇ，Ｂ画像信号に含まれる各色の階調数の変化に応じたデジタルデータに変換し、変換後のＲ，Ｇ，Ｂ画像データを原稿端検出部２０３に出力する。
【００２８】
原稿端検出部２０３は、Ａ／Ｄ変換器２０２から入力されるＲ，Ｇ，Ｂ画像データから記録紙の副走査方向に位置する原稿端の左端と右端の各座標を検出し、その左端情報と右端情報を原稿端一時記憶メモリ２０４に記憶する。原稿端検出部２０３は、原稿端の検出処理が終了したＲ，Ｇ，Ｂ画像データを画像処理回路２０５に出力する。
【００２９】
原稿端一時記憶メモリ２０４は、原稿端検出部２０３から入力される左端情報と右端情報を一時記憶し、その記憶した左端情報と右端情報を画像処理回路２０５と制御回路２０８に出力する。
【００３０】
画像処理回路２０５は、原稿端検出部２０３から入力されるＲ，Ｇ，Ｂ画像データに対して、シェーディング補正処理、ＲＧＢ位相処理及びガンマ補正処理の順に画像処理を行い、画像処理後のＲ，Ｇ，Ｂ画像データを画像出力部２０６に出力する。
【００３１】
画像出力部２０６は、画像処理回路２０５から入力される画像処理後のＲ，Ｇ，Ｂ画像データを１ページ分格納するプリンタメモリと、プリンタメモリに格納されたＲ，Ｇ，Ｂ画像データを記録紙に印刷する画像形成部（図示せず）の動作を制御するプリンタ制御部等から構成される。
【００３２】
制御操作部２０７は、図１の操作パネル１０２から入力される画像形成に関わる各種指示に応じて指示信号を制御回路２０８に出力するとともに、制御回路２０８から入力される指示内容を表示信号として操作パネル１０２に出力して指示内容を表示させる。
【００３３】
制御回路２０８は、ＣＰＵ（Central Processing Unit ）２１１と、ＲＡＭ（Random Access Memory）２１２と、ＲＯＭ（Read Only Memory）２１３と、から構成される。
【００３４】
ＣＰＵ２１１は、ＲＯＭ２１３に記憶された画像形成制御プログラムに基づいて上記各部の画像形成に関わる動作を制御する。また、ＣＰＵ２１１は、ＲＯＭ２１３に記憶された外光情報記憶処理プログラムに基づいて後述する外光情報記憶処理（図３参照）を実行する。この外光情報読取処理において、ＣＰＵ２１１は、プラテンカバー１０４を開放及びプラテンガラス１０５上に原稿が置かれていない状態で、プラテンガラス１０５に入射する外光を読み取り、読み取った外光画像から原稿端検出部２０３で検出される原稿端の左端情報と右端情報を外光情報として外光情報記憶メモリ２０９に記憶する。
【００３５】
さらに、ＣＰＵ２１１は、ＲＯＭ２１３に記憶された原稿画像読取処理プログラムに基づいて後述する原稿画像読取処理（図５参照）を実行する。この原稿画像読取処理において、ＣＰＵ２１１は、上記スカイショット原稿読取モードで原稿画像を読み取る前に、外光情報記憶メモリ２０９に記憶した外光情報をマスク情報として原稿端検出部２０３に設定してから原稿画像を読み取り、原稿端検出部２０３でマスク情報によりマスキング処理された読み取り原稿画像から検出されて原稿端一時記憶メモリ２０４に記憶された原稿端情報を読み出して原稿画像の読取範囲を画像処理回路２０５に設定する。
【００３６】
ＲＡＭ２１２は、ＣＰＵ２１１が上記各処理を実行する際に上記各処理プログラムを展開するとともに、処理する各種パラメータ等を一時的に記憶するためのワークエリアとして利用される。ＲＯＭ２１３は、上記画像形成制御プログラム、外光情報記憶処理プログラム及び原稿画像読取処理プログラム等を記憶する。外光情報記憶メモリ２０９は、不揮発メモリにより構成され、上記ＣＰＵ２１１により外光情報が記憶される。
【００３７】
次に、図２の制御回路２０８内のＣＰＵ２１１により実行される外光情報記憶処理について、図３に示すフローチャートを参照して説明する。
【００３８】
ユーザーは、外光情報記憶処理を開始する際に、操作パネル１０２に設けられた外光情報記憶指示キーを操作する。制御操作部２０７は、操作パネル１０２から外光情報記憶指示が入力されると、その指示信号を制御回路２０８に出力する（ステップＳ１０１）。
【００３９】
制御回路２０８のＣＰＵ２１１は、外光情報記憶指示信号が入力されるとＲＯＭ２１３に記憶された外光情報記憶処理プログラムを読み出してＲＡＭ２１２に展開し、本処理を開始する。ＣＰＵ２１１は、開閉検出センサ１０６から入力される検出信号に基づいてプラテンカバー１０４が開放状態か否かを判別する（ステップＳ１０２）。ＣＰＵ２１１は、プラテンカバー１０４が閉状態であると判別した場合は（ステップＳ１０２：ＮＯ）、プラテンカバーの開放を要求する旨の表示情報を制御操作部２０７に出力し（ステップＳ１０３）、操作パネル１０２に表示させる。この表示により、ユーザーはプラテンカバー１０４を開放操作することになる。
【００４０】
また、ＣＰＵ２１１は、プラテンカバー１０４が開放されていると判別した場合は（ステップＳ１０２：ＹＥＳ）、原稿サイズ検出センサ１０７から入力される検出信号に基づいてプラテンガラス１０５の読取面に原稿が置かれているか否かを判別する（ステップＳ１０４）。ＣＰＵ２１１は、原稿が置かれていると判別した場合は（ステップＳ１０４：ＹＥＳ）、原稿の取り除きを要求する旨の表示情報を制御操作部２０７に出力し（ステップＳ１０５）、操作パネル１０２に表示させる。この表示により、ユーザーは原稿を取り除くことになる。
【００４１】
また、ＣＰＵは、原稿が置かれていないと判別した場合は（ステップＳ１０４：ＮＯ）、走査機構の動作を制御してプラテンガラス１０５の読取面を副走査方向に走査させて、読取面に入射する外光をＣＣＤラインセンサ２０１により読み取らせる（ステップＳ１０６）。
【００４２】
ＣＣＤラインセンサ２０１は外光を読み取り、外光画像信号をＡ／Ｄ変換器２０２に出力する。Ａ／Ｄ変換器２０２は、入力された外光画像信号を階調数の変化に応じたデジタルデータに変換し、変換後の外光画像データを原稿端検出部２０３に出力する。原稿端検出部２０３は、入力された外光画像データから外光の左端情報（座標情報）と右端情報（座標情報）を検出して原稿端一時記憶メモリ２０４に記憶する。
【００４３】
なお、ＣＰＵ２１１は、外光情報記憶処理では外光情報を記憶することを目的としているため、原稿端検出部２０３の原稿端検出処理以降の画像処理回路２０５及び画像出力部２０６における画像形成処理は行わない。
【００４４】
次に、ＣＰＵ２１１は、原稿端一時記憶メモリ２０４に記憶された左端情報（座標情報）と右端情報（座標情報）を外光情報として読み出し（ステップＳ１０７）、読み出した外光情報を外光情報記憶メモリ２０９に記憶して（ステップＳ１０８）、本処理を終了する。
【００４５】
以上の外光情報記憶処理において読み取られる外光画像の具体例を図４に示す。図４（ａ）に示すように、プラテンガラス１０５の読取面に外光が入射し、この外光をＣＣＤラインセンサ２０１で副走査方向に読み取ると、同図（ｂ）に示すように、ＣＣＤラインセンサ２０１から出力される主走査方向の画像信号には、外光に相当する部分が白の階調信号として出力される。そして、外光画像の左端情報である図中の外光座標Ｘ１（左）と、右端情報である外光座標Ｘ２（右）が原稿端検出部２０３により検出さて原稿端一時記憶メモリ２０４に記憶された後、制御回路２０８のＣＰＵ２１１により読み出されて外光情報記憶メモリ２０９に記憶される。
【００４６】
次に、図２の制御回路２０８内のＣＰＵ２１１により実行される原稿画像読取処理について、図５に示すフローチャートを参照して説明する。この原稿画像読取処理では、スカイショット原稿読み取りモードにより原稿画像を読み取る場合の動作を適用する。
【００４７】
ユーザーは、原稿画像読取処理を開始する際に、操作パネル１０２に設けられたコピースタートキーを操作する。制御操作部２０７は、操作パネル１０２からコピースタート指示が入力されると、その指示信号を制御回路２０８に出力する（ステップＳ２０１）。制御回路２０８のＣＰＵ２１１は、コピースタート指示信号が入力されるとＲＯＭ２１３に記憶された原稿画像読取処理プログラムを読み出してＲＡＭ２１２に展開し、本処理を開始する。ＣＰＵ２１１は、開閉検出センサ１０６から入力される検出信号に基づいてプラテンカバー１０４が開放状態か否かを判別する（ステップＳ２０２）。ＣＰＵ２１１は、プラテンカバー１０４が閉状態であると判別した場合は（ステップＳ２０２：ＮＯ）、スカイショット原稿読み取りモードではなく、プラテンカバー１０４を閉じてプラテンガラス１０５に原稿を置いて読み取る通常読取モードであると判断し、通常読取処理に移行する（ステップＳ２０３）。
【００４８】
また、ＣＰＵ２１１は、プラテンカバー１０４が開状態であると判別した場合は（ステップＳ２０２：ＹＥＳ）、上記外光情報記憶処理により外光情報記億メモリ２０９に記憶した外光情報を読み出し（ステップＳ２０４）、読み出した外光情報をマスク情報として原稿端検出部２０３に設定する（ステップＳ２０５）。次に、ＣＰＵ２１１は、走査機構の動作を制御してプラテンガラス１０５の読取面を副走査方向に走査させて、読取面に置かれた原稿の画像をＣＣＤラインセンサ２０１により読み取らせる（ステップＳ２０６）。
【００４９】
この時、ＣＣＤラインセンサ２０１は、原稿画像とともに外光を読み取り、外光画像を含む原稿画像信号をＡ／Ｄ変換器２０２に出力する。Ａ／Ｄ変換器２０２は、入力された原稿画像信号を階調数の変化に応じたデジタルデータに変換し、変換後の画像データを原稿端検出部２０３に出力する。原稿端検出部２０３は、先に設定されたマスク情報（外光座標Ｘ１（左）と外光座標Ｘ２（右））に基づいて、入力された原稿画像データに含まれる外光画像をマスク処理して、実際の原稿端の左端情報（座標情報）と右端情報（座標情報）を検出して原稿端一時記憶メモリ２０４に記憶する。また、原稿端検出部２０３は、原稿端検出処理が終了した原稿画像データを画像処理回路２０５に出力する。
【００５０】
次に、ＣＰＵ２１１は、原稿端一時記憶メモリ２０４から原稿端情報（左端情報（座標情報）と右端情報（座標情報））を読み出し（ステップＳ２０７）、その原稿端情報から原稿画像の読取範囲を計算し、その読取範囲を示すマスク信号を画像処理回路２０５に設定する（ステップＳ２０８）。次に、ＣＰＵ２１１は、画像処理回路２０５に対して画像読取処理の開始を指示して（ステップＳ２０９）、本処理を終了する。
【００５１】
画像処理回路２０５は、ＣＰＵ２１１により設定されたマスク信号に基づいて、原稿端検出部２０３から入力された原稿画像データから実際の原稿画像を読み取り、読み取った画像に対してシェーディング補正処理、ＲＧＢ位相処理及びガンマ補正処理の順に画像処理を行い、画像処理後の画像データを画像出力部２０６に出力する。画像出力部２０６は、画像処理回路２０５から入力された画像処理後の画像データを数ライン分ずつプリンタメモリに格納し、プリンタ制御部によりプリンタメモリに格納した画像データに基づいて画像形成部（図示せず）の動作を制御して記録紙に画像を印刷する。
【００５２】
次に、上記画像読取処理においてＣＰＵ２１１により実行される外光情報の記憶動作と、原稿端検出部２０３により処理される原稿データのマスキング動作の具体例について、図６に示すタイミングチャートを参照して説明する。
【００５３】
図６（ａ）は、上記外光画像を含む原稿画像データの具体例を示す図であり、同図（ｂ）は、外光情報記憶メモリ２０９に記憶された外光情報の具体例を示す図である。ＣＰＵ２１１は、外光情報記憶メモリ２０９に記憶した外光情報（同図（ｂ））をマスク情報として原稿端検出部２０３に設定する。原稿端検出部２０３は、設定された外光情報に基づいて、同図（ａ）の入力画像データの外光画像をマスク処理して、同図（ｃ）に示す実際の原稿画像データの原稿端を検出し、検出した左端情報（座標情報）と右端情報（座標情報）を原稿端一時記憶メモリ２０４に記憶する。
【００５４】
次に、ＣＰＵ２１１は、原稿端一時記憶メモリ２０４から左端情報（座標情報）と右端情報（座標情報）を読み出し、原稿画像の読取範囲を計算し、その読取範囲を示す同図（ｄ）の原稿端座標（左）と原稿端座標（右）を含むマスク信号を生成して画像処理回路２０５に設定する。画像処理回路２０５は、設定されたマスク信号に基づいて、原稿端検出部２０３から入力される入力画像データをマスク処理し、同図（ｅ）に示す画像データを出力する。
【００５５】
以上の処理の結果、プラテンガラス１０５に外光が入射するスカイショット原稿読み取りモードにおいて、外光とともに原稿画像を読み取った場合でも、実際の原稿画像を読み取ることが可能になる。すなわち、図７（ａ）に示す実際の原稿画像の読取範囲を設定し、外光画像をマスク処理して同図（ｂ）に示す主走査方向の画像データを出力することが可能になる。
【００５６】
以上のように、本実施の形態の画像形成装置では、プラテンカバーを開放してブック原稿等を読み取るスカイショット原稿読み取りモードを利用する前に、外光情報記憶処理によりプラテンガラスに入射する外光を読み取り、その外光画像データから原稿端情報を検出して外光情報として外光情報記憶メモリに記憶するようにした。そして、画像形成装置では、スカイショット原稿読み取りモードによる原稿画像読取処理において、先に記憶した外光情報をマスク情報として設定し、このマスク情報に基づいて読み取った原稿画像データに含まれる外光画像データをマスク処理して実際の原稿画像データの原稿端情報を検出し、この原稿端情報に基づいて原稿画像データの読取範囲を設定するマスク信号を生成するようにした。
【００５７】
したがって、本実施の形態の画像形成装置では、プラテンカバーを開放して原稿画像を読み取る原稿読み取り時に、外光の影響を排除して実際の原稿画像を確実に読み取ることができる。また、本実施の形態の画像形成装置では、外光の影響を排除するために、従来のように新たなセンサの追加や複数回の読み取り走査を必要とせず、外光情報記憶処理プログラム及び原稿画像読取処理プログラムを追加するだけで実現できるため、低コストで画像形成装置の機能と信頼性を向上させることができる。
【００５８】
さらに、本実施の形態の画像形成装置では、外光情報記憶メモリとして不揮発メモリを用いたため、画像形成装置を設置した際、又は、画像形成装置周囲の外光状況が変動した場合に外光情報記憶処理を一度だけ実行すれば良く、原稿画像読取時の処理負担を軽減することができる。
【産業上の利用可能性】
【００５９】
本発明は、装置の設置時又は本体装置周囲の外光状況が変動した場合に、外光情報を読み取って不揮発メモリに記憶しておき、この記憶した外光情報に基づいて原稿画像の端部を検出することにより、新たなセンサの追加や複数回の読み取り走査を必要とすることなく、外光の影響を排除して確実に原稿画像を読み取ることができ、ファクシミリ及びプリンタ等の画像形成装置に適用できる。
【図面の簡単な説明】
【００６０】
【図１】本発明の一実施の形態に係る画像形成装置の外観斜視図であり、（ａ）は装置全体の外観斜視図、（ｂ）は装置上部の外観斜視図
【図２】本実施の形態に係る画像形成装置の制御系の構成を示すブロック図
【図３】本実施の形態に係る外光情報記憶処理を示すフローチャート
【図４】本実施の形態に係る外光画像の具体例を示す図であり、（ａ）はプラテンガラスに入射する外光を示す図、（ｂ）はＣＣＤラインセンサにより読み取られた主走査方向の外光画像信号波形を示す図
【図５】本実施の形態に係る原稿画像読取処理を示すフローチャート
【図６】本実施の形態に係る原稿データのマスキング動作の具体例を示す図であり、（ａ）は外光画像を含む原稿画像データの具体例を示す図、（ｂ）は外光情報記憶メモリに記憶された外光情報の具体例を示す図、（ｃ）はマスク信号の具体例を示す図、（ｄ）はマスク信号の具体例を示す図、（ｅ）は出力画像の具体例を示す図
【図７】本実施の形態に係る実際の原稿画像の読み取り例を示す図であり、（ａ）は実際の原稿画像の読取範囲設定例を示す図、（ｂ）は外光画像をマスク処理した主走査方向の画像データ例を示す図
【図８】従来の外光を含む原稿画像の読み取り例を示す図であり、（ａ）は原稿読取面に外光が入射した状態を示す図、（ｂ）は外光を含む原稿画像を読み取った主走査方向の画像信号を示す図、（ｃ）は外光を含む出力画像を示す図
【符号の説明】
【００６１】
１００  画像形成装置
１０１  装置本体
１０２  操作パネル
１０３  画像読取部
１０４  プラテンカバー
１０５  プラテンガラス
１０６  開閉検出センサ
１０７  原稿サイズ検出センサ
２０１  ＣＣＤラインセンサ
２０２  Ａ／Ｄ変換器
２０３  原稿端検出部
２０４  原稿端一時記憶メモリ
２０５  画像処理回路
２０６  画像出力部
２０７  操作制御部
２０８  制御回路
２０９  外光情報記憶メモリ
２１１  ＣＰＵ
２１２  ＲＡＭ
２１３  ＲＯＭ
【図１】
2007028190.tif 000003
【図２】
2007028190.tif 000004
【図３】
2007028190.tif 000005
【図４】
2007028190.tif 000006
【図５】
2007028190.tif 000007
【図６】
2007028190.tif 000008
【図７】
2007028190.tif 000009
【図８】
2007028190.tif 000010